(57)【特許請求の範囲】
【請求項１】
着用時に乳房を被覆する２個のカップと、これらのカップを横一列につなぐ連結部と、上記カップの左右の縁部からそれぞれ横方向に延びる左右一対のサイド部と、上記各カップの上縁部の一個所と上記各サイド部の上縁部の一個所とをそれぞれつなぐ左右一対の肩ひもとを備えたブラジャーであって、上記左右一対の肩ひもの各カップ上縁部から所定長の部分が、長手方向に沿って並ぶ少なくとも４本の伸縮性紐体で形成されており、上記少なくとも４本の伸縮性紐体が、いずれも伸度１．５〜２．０に設定され、外側の２本の伸縮性紐体が、残りの内側の伸縮性紐体よりも０．３〜５ｍｍだけ長い自由長に設定されていることを特徴とするブラジャー。
【請求項２】
上記少なくとも４本の伸縮性紐体で形成される部分の長さが、自由長で、１２〜１５ｃｍに設定されている請求項１記載のブラジャー。
【発明の詳細な説明】
【０００１】
【発明の属する技術分野】
本発明は、着用感に優れたブラジャーに関するものである。
【０００２】
【従来の技術】
ブラジャーは、通常、図４に示すように、左右の乳房を被覆する２個のカップ１，２と、これらのカップ１，２を横一列につなぐ連結部３と、上記カップ１，２の左右の縁部からそれぞれ横方向に帯状に延びる左右一対のサイド部４，５と、上記各カップ１，２の上縁部の一個所と上記各サイド部４，５の上縁部の一個所とをそれぞれつなぐ左右一対の肩ひも６，７とで構成されている。そして、上記左右のサイド部４，５の先端部に、互いに係合するホック（図では見えない）が取り付けられており、これを背中側で係合させることにより、胸に左右のカップ１，２を押し付けた状態でブラジャーを装着することができるようになっている（バックホックタイプ）。また、上記サイド部４，５を一続きの帯状体で形成し、胸の連結部３の中央を、ホックで着脱自在に係合できるようにしたもの（フロントホックタイプ）もある。
【０００３】
【発明が解決しようとする課題】
これらのブラジャーにおいて、最近、カップ１，２によって乳房の形を矯正するタイプのものが多く出回っている。すなわち、サイド部４，５による締め付け力と、肩ひも６，７による引き上げ力を強くして、カップ１，２で乳房を中心側に寄せ、なおかつ上向きに引き上げることにより、めりはりのある豊かな胸に仕上げようとするものである。
【０００４】
しかしながら、肩ひも６，７による引き上げ力を強くするために、肩ひも６，７の圧縮力を高くすると、肩ひも６，７が肌に食い込んで圧迫感が強くなり、着用感が悪くなるという問題がある。また、従来のブラジャーは、図４に示すように、肩ひも６，７の長さ調節のために、肩ひも６，７を部分的に二重に保持する部分Ｐを、カップ１，２のすぐ上側部分に設けているが、上記のように、肩ひも６，７の圧縮力を高くすると、肩ひも６，７を二重に保持するための切り替え金具８が、胸の敏感な肌に押し付けられることになるため、肌がかゆくなったり痛くなったりするという問題もある。
【０００５】
そこで、肩ひも６，７を二重に保持する部分を背中側に配し、背中側に切り替え金具８がくるよう設定することが提案され、一部で実用化されているが、これによっても、肩ひも６，７による圧迫感は殆ど改善されていないのが実情である。
【０００６】
本発明は、このような事情に鑑みなされたもので、カップによる充分な引き上げ効果を備え、しかも肩ひもによる圧迫感のない、優れた着用感を有するブラジャーの提供をその目的とする。
【０００７】
【課題を解決するための手段】
上記の目的を達成するため、本発明は、着用時に乳房を被覆する２個のカップと、これらのカップを横一列につなぐ連結部と、上記カップの左右の縁部からそれぞれ横方向に延びる左右一対のサイド部と、上記各カップの上縁部の一個所と上記各サイド部の上縁部の一個所とをそれぞれつなぐ左右一対の肩ひもとを備えたブラジャーであって、上記左右一対の肩ひもの各カップ上縁部から所定長の部分が、長手方向に沿って並ぶ少なくとも４本の伸縮性紐体で形成されており、上記少なくとも４本の伸縮性紐体が、いずれも伸度１．５〜２．０に設定され、外側の２本の伸縮性紐体が、残りの内側の伸縮性紐体よりも０．３〜５ｍｍだけ長い自由長に設定されているブラジャーを第１の要旨とする。
【０００８】
また、上記ブラジャーのなかでも、特に、上記少なくとも４本の伸縮性紐体で形成される部分の長さが、自由長で、１２〜１５ｃｍに設定されているものを第２の要旨とする。
【０００９】
【発明の実施の形態】
つぎに、本発明の実施の形態について説明する。
【００１０】
図１は、本発明の一実施の形態を示している。このブラジャーは、肩ひも１０，１１以外の部分は、図４に示すブラジャーと同様であり、同一部分に同一番号を付して、その説明を省略する。なお、１２は左右のサイド部４，５を係合させるためのホックである。
【００１１】
このブラジャーの肩ひも１０，１１のうち向かって右側の肩ひも１１を例にとって説明する（肩ひも１０は肩ひも１１と左右対象である以外は同一構造）と、この肩ひも１１は、図２に示すように、カップ２の上端部を折り返して縫合することにより形成された中空部２０に、２本の伸縮性紐体２１が挿通され、折り返した２本と、もとの２本の計４本が、長手方向に沿って並ぶことにより形成された複数紐体部分２２と、従来の帯状伸縮テープからなる単一テープ部分２３とで構成されている。
【００１２】
上記複数紐体部分２２において、４本の伸縮性紐体２１は、カップ２上端部の近傍において、４本が横一列に平面的に並んだ状態でミシン止めされている。そして、このミシン止めの縫い目Ｑを隠すように、飾りリボン２４が縫い付けられている。また、４本の伸縮性紐体２１の上端縁は、単一テープ部分２３と連結するためのリング状金具２５に挿通され、折り返されて裏側で縫合されている。
【００１３】
なお、上記複数紐体部分２２を構成する各伸縮性紐体２１は、ナイロン９３％とポリウレタン７％を組み合わせたカバリング糸（７０デニール）を外径３ｍｍの筒状にループ編したもので、伸度１．７の伸縮性を備えている。そして、この複数紐体部分２２の自由長Ｌは、１３ｃｍに設定されている。ただし、４本のうち、外側の２本（図において＊印で示す）の自由長は、ともに１３．２ｃｍに設定されており、自由長Ｌが１３ｃｍに設定された内側の２本に比べて、心持ちだぼついた感じになっている（図では４本とも直線的に示している）。このように、外側の２本を長めに設定すると、横一列に並ぶ４本の伸縮性紐体２１が、肌に沿って伸縮する際、常に平面性を保った状態となるのであり、本発明において、この構成が必要である。なお、上記外側の２本を長く設定する場合の長さは、内側の他の伸縮性紐体２１よりも、０．３〜５ｍｍ長くすることが、平面性を保つ上で必要である。
【００１４】
一方、単一テープ部分２３を構成する帯状テープは、従来からブラジャーの肩ひもとして用いられているどのような種類の帯状テープであってもよいが、通常、伸縮性を備えたストレッチテープが用いられる。そして、上記帯状テープは、上記リング状金具２５と切り替え金具２６の間の部分Ｐが二重に保持されており、この部分で、従来と同様、肩ひも１１の長さ調節ができるようになっている。なお、上記リング状金具２５と切り替え金具２６は、背中側にくるよう設定されている。
【００１５】
この構成によれば、肩ひも１０，１１の、カップ１，２の上から肩にかかる部分が、長手方向に沿って並ぶ４本の伸縮性紐体２１になっているため、この部分が、４本の線となって肌に当接するのであり、従来の帯状テープが接する場合に比べて、接触面積が非常に小さくなる。したがって、肩ひも１０，１１全体がある程度圧縮力を有していても、この部分から肌が受ける圧迫力は弱くなり、心地よい着用感が得られるのである。しかも、上記４本の伸縮性紐体２１からなる複数紐体部分２２が当接する胸の上から肩までの部分は身体のなかでも発汗しやすい部分であるが、上記４本の伸縮性紐体２１がこの部分に接した状態によれば、各伸縮性紐体２１の間から蒸気や水分が放出され、表面積の大きい４本の伸縮性紐体２１に吸湿・吸汗されるため、従来にない爽快感が得られるという利点を有する。さらに、背中側に、連結用のリング状金具２５と切り替え金具２６が位置するため、敏感な胸の上の肌がかゆくなったり痛くなったりすることがない。
【００１６】
なお、上記の例では、複数紐体部分２２を、２本の伸縮性紐体２１をカップ１，２の上端部に挿通して折り返して４本にしているが、必ずしもこのようにする必要はない。例えば、上端部の処理と同様、図３に示すように、４本の伸縮性紐体２１を、カップ１，２の上端部に取り付けたリング状金具２５′に、折り返してミシン止めするようにしてもよい。
【００１７】
また、上記の例では、複数紐体部分２２の自由長Ｌを１３ｃｍに設定しているが、この長さは、上記値に限らず、適宜に設定することができる。ただし、この複数紐体部分２２が、肌の敏感な胸の上から肩にかけての領域に接することが好適であり、そのためには、カップ１，２の形状にもよるが、複数紐体部分２２の自由長を１２〜１５ｃｍに設定することが好ましい。
【００１８】
さらに、上記複数紐体部分２２を構成する伸縮性紐体２１の本数は、４本以上でなければならない。すなわち、３本以下では、肌に対する圧迫感の改善効果に乏しいからである。そして、本数を多くすると、肩ひも１０，１１が嵩張るため、各伸縮性紐体２１を細くせざるを得ず、その場合、伸縮性紐体２１の伸度や強度を確保することが困難になる。したがって、伸縮性紐体２１の本数は、４〜１０本程度に設定することが好適である。そして、このように本数を増やす場合も、前述のように、外側の２本を、残りの内側のものより、自由長を心持ち長く設定することが、全体を平面的に保つ上で必要である。
【００１９】
なお、各伸縮性紐体２１の太さは、複数紐体部分２２に用いる伸縮性紐体２１の本数により適宜の太さに設定されるが、伸度は、本数に関わらず、１．５〜２．０程度に設定することが必要である。
【００２０】
また、本発明のブラジャーは、上記の例のように、バックホックタイプのみならず、フロントホックタイプにも適用することができる。また、カップの形状等によっても何ら限定されるものでもない。
【００２１】
つぎに、実施例について説明する。
【００２２】
【実施例１〜４、比較例１，２】
図１に示すブラジャーを作製した。ただし、複数紐体部分２２の条件を、下記の表１に示すように変えて、５種類のものを作製した（実施例１〜４と比較例１）。また、比較例２として、図４に示すブラジャー（肩ひもの構造以外は実施例１〜４と同一）を用意した。そして、各ブラジャーを、専門パネラー１０名に試着させ、２種類の着用感（締付力と、発汗時の爽快感）について、官能評価させた。そして、最も多くのパネラーが支持した評価を表１に併せて示した。
【００２３】
【表１】
0003671122.tif 000002
【００２４】
上記の結果から、実施例品は、良好な締付力を備えており、しかも発汗時の爽快感にも優れていることがわかった。
【００２５】
【発明の効果】
以上のように、本発明のブラジャーは、肩ひもの、カップの上から肩にかかる部分が、長手方向に沿って並ぶ少なくとも４本の伸縮性紐体からなり、しかも特殊な構成になっているため、従来の帯状テープが接する場合に比べ、接触面積が非常に小さい。したがって、肌が受ける圧迫力が弱くなり、非常に心地よい着用感が得られる。しかも、上記特殊な構成部分が当接する胸の上から肩までの部分は、身体のなかでも発汗しやすい部分であるが、少なくとも４本の伸縮性紐体がこの部分に接した状態によれば、各伸縮性紐体の間から蒸気や水分が放出され、表面積の大きい伸縮性紐体の列に吸湿・吸汗されるため、従来にない爽快感が得られるという利点を有する。
【図面の簡単な説明】
【図１】本発明の一実施例を示す説明図である。
【図２】上記実施例の肩ひも部分の詳細説明図である。
【図３】上記実施例における肩ひも部分の変形例の説明図である。
【図４】従来のブラジャーの一例を示す説明図である。
【符号の説明】
１，２  カップ
３  連結部
４，５  サイド部
１０，１１  肩ひも
２１  伸縮性紐体
【図１】
0003671122.tif 000003
【図２】
0003671122.tif 000004
【図３】
0003671122.tif 000005
【図４】
0003671122.tif 000006